(57)【要約】【課題】位置情報を効率的に取得すること。【解決手段】本願に係る判定プログラムは、取得手順と、判定手順とを、コンピュータに実行させる。取得手順は、ユーザの位置を示す位置情報、及び、当該位置の測位に関する情報を取得する。判定手順は、測位に関する情報に対応した判定基準に基づいて、当該位置情報を抽象化するか否かを判定する。例えば、判定手順は、位置情報の抽象化として、測位に関する情報に対応した複数の判定基準であって、取得手順によって取得された位置情報を記憶部に記憶するか否かを判定するための判定基準に基づいて、当該位置情報を記憶部に記憶するか否かを判定する。【選択図】図１
2019128921.tif 000002
【特許請求の範囲】
【請求項１】
ユーザの位置を示す位置情報、及び、当該位置の測位に関する情報を取得する取得手順と、
前記測位に関する情報に対応した判定基準に基づいて、前記取得手順によって取得された位置情報を抽象化するか否かを判定する判定手順と、
をコンピュータに実行させることを特徴とする判定プログラム。
【請求項２】
前記判定手順は、
前記位置情報の抽象化として、複数の前記判定基準であって、前記取得手順によって取得された位置情報を記憶部に記憶するか否かを判定するための判定基準に基づいて、当該位置情報を記憶部に記憶するか否かを判定する、
ことを特徴とする請求項１に記載の判定プログラム。
【請求項３】
前記判定手順は、
前記測位に関する情報に応じて異なる条件を有する複数の判定基準を用いて、前記位置情報を記憶部に記憶するか否かを段階的に判定する、
ことを特徴とする請求項２に記載の判定プログラム。
【請求項４】
前記取得手順は、
前記測位に関する情報として、当該位置が測位された際の測位手段に関する情報を取得し、
前記判定手順は、
前記測位手段に対応した複数の判定基準に基づいて、前記位置情報を記憶部に記憶するか否かを判定する、
ことを特徴とする請求項２又は３に記載の判定プログラム。
【請求項５】
前記判定手順は、
前記取得手順によって、第１の測位手段、及び、当該第１の測位手段に対して精度の高い第２の測位手段を併用して測位された位置に対応する前記ユーザの位置情報が取得された場合には、当該第２の測位手段に対応した判定基準に基づいて、当該位置情報を記憶部に記憶するか否かを判定する、
ことを特徴とする請求項４に記載の判定プログラム。
【請求項６】
前記取得手順は、
第１の測位手段、及び、当該第１の測位手段に対して精度の高い第２の測位手段によって前記ユーザの位置が測位された場合の位置情報を所定時間にわたって取得し、
前記判定手順は、
前記所定時間にわたって測位された複数の位置情報において、前記第１の測位手段では前記ユーザが移動したことを測位できず、かつ、前記第２の測位手段では前記ユーザが移動したことを測位できた場合には、前記第２の測位手段によって測位された位置を示す位置情報を記憶部に記憶すると判定する、
ことを特徴とする請求項４に記載の判定プログラム。
【請求項７】
前記判定手順は、
前記測位手段に応じた基準距離を設定し、所定時間内に前記ユーザが当該基準距離を超えて移動したか否かに基づいて、当該所定時間内における当該ユーザの位置情報を記憶部に記憶するか否かを判定する、
ことを特徴とする請求項４〜６のいずれか一つに記載の判定プログラム。
【請求項８】
前記判定手順によって記憶部に記憶すると判定された位置情報を抽出し、抽出された位置情報を、当該記憶部に位置情報を格納する機能を有する外部装置に送信する送信手順、
をさらに前記コンピュータに実行させることを特徴とする請求項２〜６のいずれか一つに記載の判定プログラム。
【請求項９】
ユーザの位置を示す位置情報を取得する取得手順と、
前記取得手順によって取得された位置情報から特定される前記ユーザのコンテキストに基づいて、当該ユーザの位置情報を抽象化するか否かを判定する判定手順と、
をコンピュータに実行させることを特徴とする判定プログラム。
【請求項１０】
ユーザの位置を示す位置情報、及び、当該位置の測位に関する情報を取得する取得部と、
前記測位に関する情報に対応した判定基準に基づいて、当該位置情報を抽象化するか否かを判定する判定部と、
を備えたことを特徴とする判定装置。
【請求項１１】
前記判定部によって、前記取得部によって取得された位置情報のうち記憶部に記憶すると判定された位置情報を、当該記憶部に格納する格納部、
をさらに備えたことを特徴とする請求項１０に記載の判定装置。
【請求項１２】
前記判定部によって、前記取得部によって取得された位置情報のうち記憶部に記憶すると判定された位置情報を抽出し、抽出された位置情報を、当該記憶部に位置情報を格納する機能を有する外部装置に送信する送信部、
をさらに備えたことを特徴とする請求項１０に記載の判定装置。
【請求項１３】
コンピュータが実行する判定方法であって、
ユーザの位置を示す位置情報、及び、当該位置の測位に関する情報を取得する取得工程と、
前記測位に関する情報に対応した判定基準に基づいて、当該位置情報を抽象化するか否かを判定する判定工程と、
を含んだことを特徴とする判定方法。
【請求項１４】
ユーザの位置を示す位置情報を取得する取得部と、
前記取得部によって取得された位置情報から特定される前記ユーザのコンテキストに基づいて、当該ユーザの位置情報を抽象化するか否かを判定する判定部と、
を備えたことを特徴とする判定装置。
【請求項１５】
コンピュータが実行する判定方法であって、
ユーザの位置を示す位置情報を取得する取得工程と、
前記取得工程によって取得された位置情報から特定される前記ユーザのコンテキストに基づいて、当該ユーザの位置情報を抽象化するか否かを判定する判定工程と、
を含んだことを特徴とする判定方法。
【発明の詳細な説明】
【技術分野】
【０００１】
本発明は、判定プログラム、判定装置及び判定方法に関する。
【背景技術】
【０００２】
従来、ユーザが所有する端末装置から位置情報を取得し、取得した位置情報に基づいて各種情報処理を行う技術が提案されている。
【０００３】
例えば、位置情報の取得に関する技術として、計測装置から取得される三次元情報を利用することにより、ユーザの店舗内の動線を欠落なく取得する技術が知られている。また、室内空間に対応するデジタル地図マップと位置情報とをマッチングさせることで、収集した移動体端末の位置情報から移動体の室内動線を分析する技術が知られている。
【先行技術文献】
【特許文献】
【０００４】
【特許文献１】特開２０１７−８３９８０号公報
【特許文献２】特開２０１６−１８１８９６号公報
【発明の概要】
【発明が解決しようとする課題】
【０００５】
しかしながら、上記の従来技術では、位置情報を効率的に取得することができるとは限らない。具体的には、上記の従来技術では、少数のユーザの行動を分析するために、分析対象となるユーザの位置情報を利用する。しかし、極めて多数のユーザの行動を分析するために位置情報を取得しようとすると、その情報量は膨大なものとなる。このため、単純に全てのユーザから一律に位置情報を取得すると、通信負荷や情報処理のコストが増大するという問題が生じる。
【０００６】
本願は、上記に鑑みてなされたものであって、位置情報を効率的に取得することができる判定プログラム、判定装置及び判定方法を提供することを目的とする。
【課題を解決するための手段】
【０００７】
本願に係る判定プログラムは、ユーザの位置を示す位置情報、及び、当該位置の測位に関する情報を取得する取得手順と、前記測位に関する情報に対応した判定基準に基づいて、当該位置情報を抽象化するか否かを判定する判定手順と、をコンピュータに実行させる。
【発明の効果】
【０００８】
実施形態の一態様によれば、位置情報を効率的に取得することができるという効果を奏する。
【図面の簡単な説明】
【０００９】
【図１】図１は、実施形態に係る判定処理の一例を示す図である。
【図２】図２は、実施形態に係る判定システムの構成例を示す図である。
【図３】図３は、実施形態に係るユーザ端末の構成例を示す図である。
【図４】図４は、実施形態に係る判定装置の構成例を示す図である。
【図５】図５は、実施形態に係るユーザ情報記憶部の一例を示す図である。
【図６】図６は、実施形態に係る判定基準記憶部の一例を示す図である。
【図７】図７は、実施形態に係る位置情報記憶部の一例を示す図である。
【図８】図８は、実施形態に係る処理手順を示すフローチャートである。
【図９】図９は、変形例に係るユーザ端末の構成例を示す図である。
【図１０】図１０は、変形例に係る処理手順を示すフローチャートである。
【図１１】図１１は、判定装置の機能を実現するコンピュータの一例を示すハードウェア構成図である。
【発明を実施するための形態】
【００１０】
以下に、本願に係る判定プログラム、判定装置及び判定方法を実施するための形態（以下、「実施形態」と呼ぶ）について図面を参照しつつ詳細に説明する。なお、この実施形態により本願に係る判定プログラム、判定装置及び判定方法が限定されるものではない。また、以下の各実施形態において同一の部位には同一の符号を付し、重複する説明は省略される。
【００１１】
〔１．判定処理の一例〕
まず、図１を用いて、実施形態に係る判定処理の一例について説明する。図１は、実施形態に係る判定処理の一例を示す図である。図１では、実施形態に係る判定プログラムによって動作するコンピュータの一例である判定装置１００によって実行される判定処理の一例について説明する。具体的には、図１では、判定装置１００が、ユーザの位置を示す位置情報、及び、当該位置の抽象度に関する情報を取得し、取得した抽象度に関する情報に対応した複数の判定基準に基づいて、位置情報を抽象化するか否かを判定する処理を行う例を示す。
【００１２】
図１に示す判定装置１００は、ユーザ端末１０から送信される位置情報を取得し、取得した位置情報を記憶部に記憶するサーバ装置である。例えば、判定装置１００は、各ユーザを識別する識別情報と各ユーザの位置を示す情報とを対応付けて取得し、取得した情報を位置情報として蓄積する。例えば、判定装置１００は、ユーザが利用する端末装置にインストールされたアプリを介して所定のサービスを提供するサーバであり、アプリの利用に伴い、ユーザから定期的に位置情報を取得する。また、判定装置１００は、位置情報を利用して、種々のサービスを提供する。実施形態では、判定装置１００は、例えば、ユーザの位置情報を利用して交通案内を行うナビアプリに係るサービスや、ログインしたユーザに様々な情報を提供するポータルアプリに係るサービス等を提供するものとする。なお、判定装置１００は、取得した位置情報等を、種々のサービスを提供する他の事業者に提供してもよい。
【００１３】
図１に示すユーザ端末１０は、スマートフォン等の情報処理端末である。実施形態では、ユーザ端末１０は、ユーザの一例であるユーザＵ０１によって利用される。以下では、ユーザ端末１０をユーザと読み替える場合がある。例えば、「ユーザＵ０１が位置情報を送信する」とは、実際には、「ユーザＵ０１が利用するユーザ端末１０が位置情報を送信する」ことを意味する場合がある。
【００１４】
ユーザ端末１０は、例えばＧＰＳ（Global  Positioning  System）等の位置を測位する測位手段を利用して、自装置が所在する位置（例えば経度や緯度の数値等）を検知し、検知した位置を示す情報である位置情報を取得する。なお、位置情報は、位置を示す情報のみならず、その位置が検知された時間を含んでもよい。そして、ユーザ端末１０は、例えば利用するアプリの制御に従い、検知した位置情報を判定装置１００に送信する。具体的には、ユーザ端末１０は、判定装置１００によって管理されるアプリであるナビアプリやポータルアプリの制御（機能）に従い、定期的かつ継続的に位置情報を判定装置１００に送信する。ユーザ端末１０から送信される位置情報は、判定装置１００が有する記憶部に蓄積され、種々の情報処理に利用される。
【００１５】
上記のように、ユーザ端末１０は、検知した位置を取得し、取得した位置に対応する位置情報を判定装置１００に送信する。しかしながら、取得した位置情報の判定装置１００への送信は、サービスを利用する全てのユーザ端末１０から定期的かつ継続的に行われるため、判定装置１００が取得する位置情報は膨大な情報量となる。このため、判定装置１００は、無作為に位置情報を記憶部に記憶するのではなく、サービスの提供のために有用な位置情報のみを記憶することが望ましい。言い換えれば、判定装置１００は、位置情報を抽象化して保持することが望ましい。なお、実施形態において、位置情報の抽象化とは、例えば、複数の位置情報が特定のユーザの所在する位置を示す場合に、情報処理に影響を与えないように複数の位置情報から所定数を除く（間引く）処理をいう。また、位置情報の抽象化とは、異なる複数の位置情報であっても、情報処理に大きく影響がないと考えられる場合、それら複数の位置情報を丸める（同一の位置を示す情報とみなす）ことによって、全体の情報量を圧縮することともいえる。
【００１６】
そこで、実施形態に係る判定装置１００は、位置情報とともに、ユーザの位置を示す位置情報における位置の抽象度に関する情報を取得する。そして、判定装置１００は、抽象度に関する情報に対応した複数の判定基準に基づいて、位置情報を抽象化するか否かを判定する。より具体的には、判定装置１００は、位置情報の抽象化として、抽象度に関する情報に対応した複数の判定基準であって、取得した位置情報を記憶部に記憶するか否かを判定するための判定基準に基づいて、当該位置情報を記憶部に記憶するか否かを判定する。かかる制御により、判定装置１００は、有用な位置情報のみを抽出して記憶することができるため、位置情報の蓄積によって記憶容量が枯渇することを防止できる。言い換えれば、判定装置１００は、位置情報を効率的に取得することができる。なお、位置の抽象度に関する情報とは、どのくらいの基準で位置情報を記憶部に保持するのか（すなわち、判定装置１００が、取得した位置情報を全て保持するのではなく、取得した全ての位置情報の中から、破棄しても情報処理に問題がないと想定される位置情報（抽象化しても問題のない位置情報）をどのように抽出するのか）を示す指針となる情報である。実施形態では、位置の抽象度に関する情報とは、例えば、ユーザ端末１０がユーザの位置を測位する際の測位に関する情報である。例えば、位置の測位に関する情報とは、ユーザの位置を示す情報における、ユーザの位置を特定する精度を示すために用いられる情報である。例えば、ユーザの位置を特定する精度は、位置を測位する測位手段や、位置情報を取得する端末装置の情報処理能力等によって変動する。すなわち、測位に関する情報とは、例えば、ユーザ端末１０が位置を測位する際に用いる測位手段や、測位された位置の誤差の範囲を示した情報や、位置情報を取得するユーザ端末１０の情報処理能力等である。以下、図１を用いて、実施形態に係る判定処理の流れについて説明する。
【００１７】
図１の例において、ユーザ端末１０は、ユーザＵ０１によってインストールされた所定のアプリの機能に従い、位置情報を検知するとともに、検知した位置に対応する位置情報を判定装置１００に送信する。例えば、ユーザ端末１０は、１０分毎に所定の測位手段を用いて自装置の位置を検知するとともに、位置情報を判定装置１００に送信する。
【００１８】
ここで、実施形態に係る判定装置１００は、ユーザ端末１０から送信される位置情報を記憶部に記憶するか否かの判定処理において、ユーザ端末１０によって検知（測位）された位置の精度に応じた判定基準を用いる。
【００１９】
例えば、位置の精度は、ユーザ端末１０に位置が検知される際に利用される測位手段に応じて異なる。図１の例では、ユーザ端末１０は、ＧＰＳ衛星による測位手段（以下、単に「ＧＰＳ」と表記する）を利用しうる。また、ユーザ端末１０は、Ｗｉ−Ｆｉ（登録商標）通信機能を介して各通信会社が有する基地局やアクセスポイントとの距離を測ることにより自装置の位置を特定する測位手段（以下、単に「Ｗｉ−Ｆｉ」と表記する）を利用しうる。また、ユーザ端末１０は、ユーザ端末１０のＢｌｕｅｔｏｏｔｈ（登録商標）機能を利用してビーコン（ｂｅａｃｏｎ）発信機等と接続することにより、自装置の位置を特定する測位手段（以下、単に「Ｂｌｕｅｔｏｏｔｈ」や、もしくは「ｂｅａｃｏｎ」と表記する）を利用しうる。
【００２０】
判定装置１００は、上記のような測位手段ごとに異なる判定基準を有する。そして、判定装置１００は、ユーザ端末１０によって位置情報が取得された際の測位手段に応じて、異なる判定基準を用いて、ユーザ端末１０から取得した位置情報を抽象化するか否かを判定する。例えば、判定装置１００は、判定基準を用いて、ユーザ端末１０から取得した位置情報のうちいずれを間引くか、あるいは、いずれの位置情報を残すかを判定する。より具体的には、判定装置１００は、判定基準を用いて、ユーザ端末１０から取得した位置情報を記憶部に記憶するか否かを判定する。
【００２１】
なお、実施形態では、ＧＰＳにより位置が測位された際の精度よりも、Ｗｉ−Ｆｉにより位置が測位された際の精度の方が、精度が高いと仮定する。また、Ｗｉ−Ｆｉにより位置が測位された際の精度よりも、ｂｅａｃｏｎにより位置が測位された際の精度の方が、精度が高いと仮定する。また、実施形態では、判定装置１００は、複数の測位手段を用いて位置情報が取得されていた場合には、より精度の高い測位手段に対応する判定基準を用いるものとする。
【００２２】
例えば、図１では、ユーザ端末１０は、ユーザＵ０１が自宅を出発し駅まで徒歩で向かうまでの間は、ＧＰＳを測位手段として位置情報を取得するものとする。そして、ユーザ端末１０は、所定時間ごとに、取得された位置情報を判定装置１００に送信する。
【００２３】
この場合、判定装置１００は、取得した位置情報のうち、ＧＰＳに対応する判定基準である判定基準Ａ０１を用いて判定を行う。例えば、判定基準Ａ０１には、「（対象（図１の例ではユーザＵ０１）が）５００メートル以上移動したか？」や、「（直近に検知された位置から）１時間以上経過したか？」といった、位置情報を記憶するための条件が含まれる。
【００２４】
このような判定基準は、記憶部に記憶する位置の精度と情報量との調和を採るために設けられる。例えば、ＧＰＳによって取得される位置情報は精度が低い（すなわち、ユーザＵ０１の所在する位置を特定する際の誤差が大きい）ため、ユーザＵ０１の位置情報の推移を取得したとしても、それら全ての位置情報が有用である可能性が低い。言い換えれば、ＧＰＳによって取得される位置情報としては、ユーザＵ０１が自宅を出て、特定の拠点（図１の例では駅）に着くまでの、比較的大まかなユーザＵ０１の移動情報（例えば、数百メートルごとの移動を示す位置情報）を示せば十分であるといえる。
【００２５】
このため、判定装置１００は、ＧＰＳを利用して検知された位置情報については、比較的大まかな基準が設けられている判定基準Ａ０１を用いて、位置情報を記憶するか否かを判定する。図１の例では、判定装置１００は、ユーザＵ０１が自宅から駅に到達するまでの間に取得された位置情報のうち、判定基準Ａ０１を満たす位置情報である位置情報Ｂ０１や位置情報Ｂ０２や位置情報Ｂ０３を、保持する情報として抽出する。そして、判定装置１００は、抽出した位置情報を記憶部に記憶する。一方、判定装置１００は、ユーザＵ０１が自宅から駅に到達するまでの間に取得された位置情報のうち、判定基準Ａ０１を満たさない位置情報については、記憶せずに破棄する。
【００２６】
続けて、ユーザ端末１０は、ユーザＵ０１が駅に到達してから駅構内の特定の店舗に向かうまで、Ｗｉ−Ｆｉを測位手段として位置情報を取得するものとする。例えば、駅構内に、ユーザ端末１０がＷｉ−Ｆｉを利用可能な環境が整っている場合に、ユーザ端末１０は、Ｗｉ−Ｆｉを測位手段として位置情報を取得することができる。なお、ユーザ端末１０は、可能な場合には、Ｗｉ−ＦｉとともにＧＰＳを利用した位置の検知を併用してもよい。そして、ユーザ端末１０は、所定時間ごとに、取得された位置情報を判定装置１００に送信する。
【００２７】
この場合、判定装置１００は、取得した位置情報のうち、Ｗｉ−Ｆｉに対応する判定基準である判定基準Ａ０２を用いて判定を行う。例えば、判定基準Ａ０２には、「（対象が）１００メートル以上移動したか？」や、「（直近に検知された位置から）直線以外の移動を行ったか？」といった基準が設けられる。
【００２８】
例えば、Ｗｉ−Ｆｉによって取得される位置情報は、ＧＰＳのみによって取得される位置情報と比較して精度が高いため、一定の範囲でユーザＵ０１の位置の推移を取得することが有用である可能性が高い。また、Ｗｉ−Ｆｉが利用可能な駅構内等では、管理者が、各ユーザの位置情報を取得してユーザの行動を分析するなど、位置情報を活用する場合がある。すなわち、Ｗｉ−Ｆｉによって位置情報が取得可能なときは、ＧＰＳと比較して、ユーザの行動に関して詳細な位置情報の取得が求められる場合があるため、判定基準Ａ０１と比較して条件が詳細に設けられた判定基準Ａ０２が採用される。なお、ユーザの動きが直線であるか否かの判定は、例えば、直近の位置の２点間と、次に取得された位置の２点間とをそれぞれベクトル表記し、双方のベクトルが形成する角度が所定の閾値を超えるか否か等により判定することができる。
【００２９】
図１の例では、判定装置１００は、ユーザＵ０１が駅から店舗に到達するまでの間に取得された位置情報のうち、判定基準Ａ０２を満たす位置情報である位置情報Ｂ０４や位置情報Ｂ０５や位置情報Ｂ０６を抽出して記憶する。そして、判定装置１００は、ユーザＵ０１が駅から店舗に到達するまでの間に取得された位置情報のうち、判定基準Ａ０２を満たさない位置情報については、記憶せずに破棄する。
【００３０】
続けて、ユーザ端末１０は、ユーザＵ０１が店舗に入店してからオフィスに向かうまで、ｂｅａｃｏｎを測位手段として位置情報を取得するものとする。例えば、店舗の陳列棚の各々に、来客したユーザの行動を分析するためのｂｅａｃｏｎが配置されている場合に、ユーザ端末１０は、ｂｅａｃｏｎを測位手段として位置情報を取得することができる。なお、ユーザ端末１０は、可能な場合には、ｂｅａｃｏｎとともに、Ｗｉ−ＦｉやＧＰＳを利用した位置の検知を併用してもよい。そして、ユーザ端末１０は、所定時間ごとに、取得された位置情報を判定装置１００に送信する。
【００３１】
この場合、判定装置１００は、取得した位置情報のうち、ｂｅａｃｏｎに対応する判定基準である判定基準Ａ０３を用いて判定を行う。例えば、判定基準Ａ０３には、「（対象が）１メートル以上移動したか？」や、「（直近に検知された位置から）別の陳列棚へ移動したか？」といった基準が設けられる。
【００３２】
例えば、ｂｅａｃｏｎによって取得される位置情報は、Ｗｉ−ＦｉやＧＰＳによって取得される位置情報と比較して精度が高いため、ユーザＵ０１がどのような陳列棚（商品）を見ているかなど、ユーザＵ０１の詳細な位置の推移を分析することが可能である。すなわち、ｂｅａｃｏｎに基づいて位置情報が取得される場合、Ｗｉ−ＦｉやＧＰＳと比較して、ユーザの行動に関してより詳細な位置情報を保持する必要があるため、判定基準Ａ０２と比較して条件がより詳細に設けられた判定基準Ａ０３が採用される。なお、ユーザが別の陳列棚に移動したか否かは、例えば、ユーザ端末１０との通信が、陳列棚に設置されたｂｅａｃｏｎから別の陳列棚に設置された別のｂｅａｃｏｎへ切り替わったこと等を判定することにより行われる。
【００３３】
図１の例では、判定装置１００は、ユーザＵ０１が店舗内からオフィスに到達するまでの間に取得された位置情報のうち、判定基準Ａ０３を満たす位置情報である位置情報Ｂ０７〜Ｂ１３を抽出して記憶する。そして、判定装置１００は、ユーザＵ０１が店舗からオフィスに到達までの間に取得された位置情報のうち、判定基準Ａ０３を満たさない位置情報については、記憶せずに破棄する。
【００３４】
図１を用いて説明してきたように、実施形態に係る判定装置１００は、ユーザＵ０１の位置を示す位置情報、及び、当該位置の測位に関する情報を取得する。また、判定装置１００は、測位に関する情報に対応した判定基準に基づいて、当該位置情報を抽象化するか否かを判定する。
【００３５】
これにより、判定装置１００は、位置情報を利用するサービス等にとって有用な情報のみを抽象化することができる。具体的には、判定装置１００は、有用な情報のみを抽出して記憶部に記憶する、といった取捨選択を適切に行うことができる。仮に、ユーザ端末１０から送信された位置情報の抽象化を行うにあたり、全ての位置情報を同じ抽象度に対応する判定基準を用いた場合、判定装置１００は、適切に位置情報を保持することができない場合がある。具体的には、測位手段がＧＰＳである場合の精度（抽象度）に基づいて位置情報の抽象化を行うと、判定装置１００が、駅構内で取得された位置情報や、店舗内で取得された位置情報について、「駅構内にユーザが所在する」や「店舗内にユーザが所在する」ことを示す位置情報に抽象化してしまうおそれがある。一方、測位手段がｂｅａｃｏｎである場合の精度に基づいて位置情報の抽象化を行うと、判定装置１００が、ほぼ取得された全ての位置情報を有用な情報と判定し、適切な抽象化が行われないおそれがある。これに対して、実施形態に係る判定装置１００は、ユーザ端末１０から位置情報を取得する際に、位置の測位に関する情報（例えば、ユーザ端末１０が位置を測位した際に用いた測位手段）を取得し、また、測位に応じた一つ又は複数の判定基準に基づいて位置情報の抽象化を行うことにより、適切に位置情報を取捨選択することができる。すなわち、判定装置１００は、位置情報の取得を効率よく行うことができる。
【００３６】
なお、実施形態に係る位置情報において位置を示す情報には、例えば、緯度や経度の数値や、垂直高度、速度、水平精度、垂直精度、角度、及び誤差に関する情報など種々の種類の情報が含まれてもよい。例えば、判定装置１００は、所定の状況においては、緯度や経度を示す数値のみならず、高度を記憶部に保存するなど、種々の情報を選択して記憶してもよい。また、ユーザ端末１０は、所定の状況においては、位置情報として、緯度や経度を示す数値のみならず、高度を取得するなど、種々の情報を選択して取得してもよい。例えば、ユーザ端末１０は、ユーザがオフィス等の高層物内に所在する場合や、山など標高の高い場所に所在する場合には、適宜、位置情報として高度を取得してもよい。
【００３７】
以下、実施形態に係る判定プログラムに従って上述した判定処理を実行する判定装置１００等について、詳細に説明する。
【００３８】
〔２．判定システムの構成〕
次に、図２を用いて、実施形態に係る判定システム１の構成について説明する。図２は、実施形態に係る判定システム１の構成例を示す図である。図２に例示するように、実施形態に係る判定システム１には、ユーザ端末１０と判定装置１００とが含まれる。これらの各種装置は、ネットワークＮを介して、有線又は無線により通信可能に接続される。また、図２に示す判定システム１に含まれる各装置の数は図示したものに限られない。例えば、判定システム１には、複数台のユーザ端末１０が含まれてもよい。
【００３９】
ユーザ端末１０は、上述のように、スマートフォンを含む携帯電話機や、タブレット端末や、デスクトップ型ＰＣ（Personal  Computer）や、ノート型ＰＣや、ＰＤＡ（Personal  Digital  Assistant）等の情報処理端末である。また、ユーザ端末１０には、眼鏡型や時計型の情報処理端末であるウェアラブルデバイス（wearable  device）も含まれる。さらに、ユーザ端末１０には、位置情報を取得するための情報処理機能を有する種々のスマート機器が含まれてもよい。例えば、ユーザ端末１０には、ＴＶ（Television）や冷蔵庫、掃除機などのスマート家電や、自動車などのスマートビークル（Smart  vehicle）や、ドローン（drone）、家庭用ロボットなどが含まれてもよい。なお、実施形態に係るアプリは、スマートフォン等のモバイル端末で実行されるアプリに限られず、上記したスマート家電等で実行されるアプリであってもよい。
【００４０】
ユーザ端末１０は、ユーザによる操作や、ユーザ端末１０が有する機能に応じて、自装置の位置情報を取得し、記憶する。例えば、ユーザ端末１０は、上述したＧＰＳシステムなどの外部システムと通信を行うことによって位置情報を取得する。そして、ユーザ端末１０は、取得した位置情報を判定装置１００に送信する。
【００４１】
判定装置１００は、上述のように、位置の測位に関する情報ごとに設定される判定基準であって、ユーザ端末１０から取得した位置情報を記憶部に記憶するか否かを判定するための複数の判定基準に基づいて、位置情報を記憶部に記憶するか否かを判定するサーバ装置である。なお、判定装置１００は、取得した位置情報に基づいて所定のサービスを提供するサービスサーバであってもよい。例えば、判定装置１００は、ユーザの位置情報に基づいて交通案内等を発信するナビアプリに関するサービスや、ポータルアプリに関するポータルサービス等を提供してもよい。また、判定装置１００は、上記サービス以外にも、種々のサービスを提供してもよい。また、判定装置１００は、サービスに係るウェブサイトを提供するウェブサーバとしての機能を有していてもよい。例えば、判定装置１００は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページをユーザ端末１０に配信してもよい。
【００４２】
〔３．ユーザ端末の構成〕
次に、図３を用いて、実施形態に係るユーザ端末１０の構成について説明する。図３は、実施形態に係るユーザ端末１０の構成例を示す図である。図３に示すように、ユーザ端末１０は、通信部１１と、入力部１２と、表示部１３と、検知部１４と、記憶部１５と、制御部１６とを有する。
【００４３】
（通信部１１について）
通信部１１は、ネットワークＮと有線又は無線で接続され、判定装置１００等との間で情報の送受信を行う。通信部１１は、例えばＮＩＣ（Network  Interface  Card）等によって実現される。
【００４４】
（入力部１２及び表示部１３について）
入力部１２は、ユーザから各種操作を受け付ける入力装置である。例えば、入力部１２は、ユーザ端末１０に備えられた操作キー等によって実現される。表示部１３は、各種情報を表示するための表示装置である。例えば、表示部１３は、液晶ディスプレイ等によって実現される。なお、ユーザ端末１０にタッチパネルが採用される場合には、入力部１２の一部と表示部１３とは一体化される。
【００４５】
（検知部１４について）
検知部１４は、ユーザ端末１０に関する各種情報を検知する。具体的には、検知部１４は、ユーザ端末１０に対するユーザの操作や、ユーザ端末１０の所在する位置情報や、ユーザ端末１０と接続されている機器に関する情報や、ユーザ端末１０における環境等を検知する。図３に示す例では、検知部１４は、操作検知部１４１と、位置検知部１４２と、外部装置検知部１４３と、環境検知部１４４とを有する。
【００４６】
（操作検知部１４１について）
操作検知部１４１は、ユーザ端末１０に対するユーザの操作を検知する。例えば、操作検知部１４１は、入力部１２に入力された情報に基づいて、ユーザの操作を検知する。すなわち、操作検知部１４１は、入力部１２に画面をタッチする操作の入力があったことや、音声の入力があったこと等を検知する。また、操作検知部１４１は、ユーザによって所定のアプリが起動されたことを検知してもよい。かかるアプリがユーザ端末１０内の撮像装置を動作させるアプリである場合、操作検知部１４１は、ユーザによって撮像機能が利用されていることを検知する。また、操作検知部１４１は、ユーザ端末１０内に備えられた加速度センサやジャイロセンサ等で検知されたデータに基づき、ユーザ端末１０自体が動かされているといった操作を検知してもよい。
【００４７】
（位置検知部１４２について）
位置検知部１４２は、ユーザ端末１０の現在位置を検知する。例えば、位置検知部１４２は、ユーザ端末１０の位置を測位する種々の測位手段を利用して、ユーザ端末１０の現在位置を検知する。
【００４８】
具体的には、位置検知部１４２は、ＧＰＳ衛星から送出される電波を受信し、受信した電波に基づいてユーザ端末１０の現在位置を示す位置（例えば、緯度及び経度）を検知する。また、位置検知部１４２は、ＧＰＳ衛星に限らず、ユーザ端末１０の様々な通信機能等の測位手段を利用して位置を検知してもよい。
【００４９】
例えば、位置検知部１４２は、ユーザ端末１０のＷｉ−Ｆｉ通信機能や、各通信会社が備える通信網を利用して、ユーザ端末１０の位置を検知する。具体的には、位置検知部１４２は、Ｗｉ−Ｆｉ通信等を行い、付近の基地局やアクセスポイントとの距離を測位することにより、自装置の位置を検知する。
【００５０】
また、位置検知部１４２は、ユーザ端末１０のＢｌｕｅｔｏｏｔｈ機能を利用して位置を検知してもよい。例えば、位置検知部１４２は、Ｂｌｕｅｔｏｏｔｈ機能によって接続されるｂｅａｃｏｎ発信機と接続することにより、自装置の位置を検知する。
【００５１】
また、位置検知部１４２は、加速度センサやジャイロセンサ等を利用したＰＤＲ（Pedestrian  Dead  Reckoning）技術を利用して自装置の位置を検知してもよい。また、位置検知部１４２は、予め測定された構造物の地磁気のパターンと、自装置が備える地磁気センサとに基づいて、自装置の位置を検知してもよい。
【００５２】
また、例えば、ユーザ端末１０が駅改札や商店等で使用される非接触型ＩＣカードと同等の機能を備えている場合（もしくは、ユーザ端末１０が非接触型ＩＣカードの履歴を読み取る機能を備えている場合）、ユーザ端末１０によって駅での乗車料金の決済等が行われた情報とともに、使用された位置が記録される。位置検知部１４２は、かかる情報を取得することで、ユーザ端末１０の位置を検知してもよい。また、位置は、ユーザ端末１０が備える光学式センサや、赤外線センサ等によって検知されてもよい。
【００５３】
位置検知部１４２は、上述した手法（測位手段）の一つ又は組合せを用いて、自装置の位置を検知する。そして、後述する取得部１６１は、位置検知部１４２が検知した位置と、検知した時間との情報に基づいて、ユーザ端末１０の位置情報を取得する。
【００５４】
（外部装置検知部１４３について）
外部装置検知部１４３は、ユーザ端末１０に接続される外部装置を検知する。例えば、外部装置検知部１４３は、外部装置との相互の通信パケットのやり取りなどに基づいて、外部装置を検知する。そして、外部装置検知部１４３は、検知した外部装置をユーザ端末１０と接続される端末として認識する。また、外部装置検知部１４３は、外部装置との接続の種類を検知してもよい。例えば、外部装置検知部１４３は、外部装置と有線で接続されているか、無線通信で接続されているかを検知する。また、外部装置検知部１４３は、無線通信で用いられている通信方式等を検知してもよい。また、外部装置検知部１４３は、外部装置が発する電波を検知する電波センサや、電磁波を検知する電磁波センサ等によって取得される情報に基づいて、外部装置を検知してもよい。
【００５５】
（環境検知部１４４について）
環境検知部１４４は、ユーザ端末１０における環境を検知する。環境検知部１４４は、ユーザ端末１０に備えられた各種センサや機能を利用し、環境に関する情報を検知する。例えば、環境検知部１４４は、ユーザ端末１０の周囲の音を収集するマイクロフォンや、ユーザ端末１０の周囲の照度を検知する照度センサや、ユーザ端末１０の物理的な動きを検知する加速度センサ（又は、ジャイロセンサなど）や、ユーザ端末１０の周囲の湿度を検知する湿度センサや、ユーザ端末１０の所在位置における磁場を検知する地磁気センサ等を利用する。そして、環境検知部１４４は、各種センサを用いて、種々の情報を検知する。例えば、環境検知部１４４は、ユーザ端末１０の周囲における騒音レベルや、ユーザ端末１０の周囲が撮像に適する照度であるか等を検知する。さらに、環境検知部１４４は、カメラで撮影された写真や映像に基づいて周囲の環境情報を検知してもよい。また、環境検知部１４４は、ユーザ端末１０が置かれている高度等を検知してもよい。
【００５６】
また、環境検知部１４４は、ユーザ端末１０におけるリソースの状況を検知してもよい。例えば、環境検知部１４４は、リソースの状況として、ユーザ端末１０内部のハードウェアに関するリソースを検知する。例えば、環境検知部１４４は、リソースの状況として、ユーザ端末１０のバッテリー残量を検知する。また、環境検知部１４４は、各アプリのバッテリー（電力）消費量等を検知してもよい。
【００５７】
（記憶部１５について）
記憶部１５は、各種情報を記憶する。記憶部１５は、例えば、ＲＡＭ（Random  Access  Memory)、フラッシュメモリ（Flash  Memory）等の半導体メモリ素子、または、ハードディスク、光ディスク等の記憶装置によって実現される。例えば、記憶部１５は、検知部１４によって検知された各種情報を、検知された日時と対応付けて記憶する。具体的には、記憶部１５は、位置検知部１４２によって検知された位置に基づく位置情報を記憶する。
【００５８】
（制御部１６について）
制御部１６は、例えば、コントローラ（controller）であり、ＣＰＵ（Central  Processing  Unit）やＭＰＵ（Micro  Processing  Unit）等によって、ユーザ端末１０内部の記憶装置に記憶されている各種プログラム（例えば、実施形態に係る判定プログラム）がＲＡＭを作業領域として実行されることにより実現される。また、制御部１６は、コントローラであり、例えば、ＡＳＩＣ（Application  Specific  Integrated  Circuit）やＦＰＧＡ（Field  Programmable  Gate  Array）等の集積回路により実現される。
【００５９】
図３に示すように、制御部１６は、取得部１６１と、受信部１６２と、送信部１６３とを有し、以下に説明する情報処理の機能や作用を実現または実行する。例えば、制御部１６は、ＲＡＭを作業領域として上述したプログラムを実行することにより、以下に説明する情報処理の機能や作用を実現する。なお、制御部１６の内部構成は、図３に示した構成に限られず、後述する情報処理を行う構成であれば他の構成であってもよい。また、制御部１６が有する各処理部の接続関係は、図３に示した接続関係に限られず、他の接続関係であってもよい。
【００６０】
（取得部１６１について）
取得部１６１は、各種情報を取得する。例えば、取得部１６１は、検知部１４を制御することにより、検知部１４によって検知される各種情報を取得する。例えば、取得部１６１は、位置検知部１４２によって検知された情報に基づいて、ユーザ端末１０の位置情報を取得する。なお、取得部１６１は、位置情報に限らず、ユーザ端末１０の周囲の環境に関する情報等の各種センサ情報を含む、ユーザ端末１０のコンテキストに関する情報を取得してもよい。
【００６１】
取得部１６１は、所定の時間毎に位置情報を取得するようにしてもよい。例えば、取得部１６１は、定期的（１分毎や、５分毎や、１０分毎等）に、上述した検知部１４を制御すること等により、位置情報を取得する。なお、取得部１６１が位置情報を取得するタイミングは、判定装置１００によって設定されてもよい。
【００６２】
（受信部１６２について）
受信部１６２は、各種情報を受信する。例えば、受信部１６２は、判定装置１００から送信される位置情報の要求を受信する。受信部１６２は、受信した情報を制御部１６の各処理部へ送る。
【００６３】
（送信部１６３について）
送信部１６３は、各種情報を送信する。例えば、送信部１６３は、受信部１６２に受信された要求に従い、位置情報を判定装置１００に送信する。
【００６４】
例えば、送信部１６３は、ユーザを識別するための識別情報と、取得部１６１によって取得された位置情報を対応付けて、判定装置１００に送信する。このとき、送信部１６３は、取得部１６１によって位置情報が取得されるたびに位置情報を送信してもよいし、所定の期間毎に位置情報を送信してもよい。例えば、送信部１６３は、定期的（１分毎、３分毎、５分毎、１時間毎など）に位置情報が取得部１６１によって取得された場合であっても、予め設定された時間毎に位置情報を判定装置１００等に送信するようにしてもよい。また、送信部１６３が位置情報を送信するタイミングは、判定装置１００等によって設定されてもよい。また、送信部１６３は、位置情報に対応する位置を示す情報の測位に関する情報（位置を示す情報の測位手段等）を送信してもよい。
【００６５】
〔４．判定装置の構成〕
次に、図４を用いて、実施形態に係る判定装置１００の構成について説明する。図４は、実施形態に係る判定装置１００の構成例を示す図である。図４に示すように、判定装置１００は、通信部１１０と、記憶部１２０と、制御部１３０とを有する。なお、判定装置１００は、判定装置１００を利用する管理者等から各種操作を受け付ける入力部（例えば、キーボードやマウス等）や、各種情報を表示するための表示部（例えば、液晶ディスプレイ等）を有してもよい。
【００６６】
（通信部１１０について）
通信部１１０は、例えばＮＩＣ等によって実現される。通信部１１０は、ネットワークＮと有線又は無線で接続され、ネットワークＮを介して、ユーザ端末１０等との間で情報の送受信を行う。
【００６７】
（記憶部１２０について）
記憶部１２０は、例えば、ＲＡＭ、フラッシュメモリ等の半導体メモリ素子、または、ハードディスク、光ディスク等の記憶装置によって実現される。記憶部１２０は、ユーザ情報記憶部１２１と、判定基準記憶部１２２と、位置情報記憶部１２３とを有する。
【００６８】
（ユーザ情報記憶部１２１について）
ユーザ情報記憶部１２１は、ユーザに関する情報を記憶する。ここで、図５に、実施形態に係るユーザ情報記憶部１２１の一例を示す。図５は、実施形態に係るユーザ情報記憶部１２１の一例を示す図である。図５に示すように、ユーザ情報記憶部１２１は、「ユーザＩＤ」、「端末ＩＤ」、「属性情報」といった項目を有する。
【００６９】
「ユーザＩＤ」は、ユーザを識別する識別情報を示す。「端末ＩＤ」は、ユーザが利用するユーザ端末１０を識別する識別情報を示す。なお、各ユーザは、複数の端末を所有していてもよい。また、実施形態において、識別情報は、説明に用いる参照符号として用いる場合がある。例えば、ユーザＩＤ「Ｕ０１」で識別されるユーザは、「ユーザＵ０１」と表記される場合がある。
【００７０】
「属性情報」は、ユーザの属性に関する情報を示す。図５では、属性情報を「Ｄ０１」といった概念で表記しているが、実際には、属性情報の項目には、ユーザの年齢や性別や職業や年収や居住地等の種々の具体的な情報が記憶される。
【００７１】
すなわち、図５では、ユーザ情報記憶部１２１に記憶されるデータの一例として、ユーザＩＤ「Ｕ０１」によって示されるユーザＵ０１が、端末ＩＤ「Ｃ０１」で識別されるユーザ端末１０を利用していることを示している。また、ユーザＵ０１の属性情報が「Ｄ０１」であることを示している。
【００７２】
なお、図５での図示は省略したが、ユーザ情報記憶部１２１には、サービス（ウェブサイト等）やアプリの利用履歴等に基づいて、ユーザの興味関心情報や、ユーザの行動履歴等が記憶されてもよい。例えば、興味関心情報は、サービスやアプリの利用を介して、判定装置１００によってユーザに設定される情報（ユーザの購買履歴や検索履歴から、ユーザが興味関心を抱いていると想定されるカテゴリや情報の内容等）である。また、行動履歴情報は、サービスやアプリにおけるユーザの行動履歴（ナビアプリに基づく移動履歴や目的地の履歴、ウェブページ等の閲覧履歴や、商品の購買履歴や、検索履歴等）である。
【００７３】
（判定基準記憶部１２２について）
判定基準記憶部１２２は、実施形態に係る判定処理に用いられる判定基準を記憶する。ここで、図６に、実施形態に係る判定基準記憶部１２２の一例を示す。図６は、実施形態に係る判定基準記憶部１２２の一例を示す図である。図６に示すように、判定基準記憶部１２２は、「判定基準ＩＤ」、「測位手段」、「条件」といった項目を有する。
【００７４】
「判定基準ＩＤ」は、判定基準を識別する識別情報を示す。「測位手段」は、ユーザの位置を検知する際に用いられる手段であって、判定基準ごとに対応付けられる測位手段を示す。「条件」は、位置情報を記憶部１２０内に記憶する条件の具体的な内容を示す。例えば、判定装置１００は、取得した位置情報が条件のいずれかを満たす場合に位置情報を記憶部１２０内に記憶する。
【００７５】
すなわち、図６では、判定基準記憶部１２２に記憶されるデータの一例として、判定基準ＩＤ「Ａ０１」によって示される判定基準Ａ０１は、測位手段が「ＧＰＳ」であるときに利用される基準であり、その条件として、例えば「５００メートル以上の移動」や「直近の情報から１時間以上が経過」等が設定されていることを示している。
【００７６】
（位置情報記憶部１２３について）
位置情報記憶部１２３は、ユーザ端末１０から送信された位置情報を記憶する。ここで、図７に、実施形態に係る位置情報記憶部１２３の一例を示す。図７は、実施形態に係る位置情報記憶部１２３の一例を示す図である。図７に示した例では、位置情報記憶部１２３は、「端末ＩＤ」、「ユーザＩＤ」、「位置情報」といった項目を有する。また、「位置情報」の項目は、「取得日時」、「位置」、「精度」、「各種センサ情報」といった小項目を有する。
【００７７】
「端末ＩＤ」及び「ユーザＩＤ」は、図５に示した同一の項目に対応する。「位置情報」は、ユーザ端末１０によって検知されたユーザの位置を含む情報を示す。
【００７８】
「取得日時」は、位置がユーザ端末１０によって検知（測位）された日時を示す。「位置」は、ユーザ（言い換えればユーザ端末１０）の具体的な位置を示す。図７では、位置を「Ｇ０１」といった概念で表記しているが、実際には、位置の項目には、ユーザの位置を示す具体的な情報（例えば経度や緯度の数値等）が記憶される。
【００７９】
「精度」は、ユーザの位置を示す情報の精度を示す。実施形態では、精度は、例えば「低」、「中」、「高」の三段階で示される。精度は、例えば、ユーザ端末１０によって位置が検知された際の測位手段に基づき、ユーザの位置を特定することのできる精度に応じて記憶される。具体的には、ユーザの位置を特定する際に数十メートルから数百メートルの誤差が生じるような測位手段（例えば測位手段がＧＰＳのみであった場合等）の場合、取得された位置情報の精度は「低」となる。また、精度が「低」である位置情報と比較して精度の高い測位手段（例えば、測位手段がＷｉ−ＦｉやＧＰＳ等を組み合わせたものであった場合等）の場合、当該取得手段によって取得された位置情報の精度は「中」となる。また、精度が「中」である位置情報と比較して精度の高い測位手段（例えば、測位手段がＢｌｕｅｔｏｏｔｈ（ビーコン）を利用したものであった場合等）の場合、当該取得手段によって取得された位置情報の精度は「高」となる。なお、上記した精度の判定は一例であり、判定装置１００は、位置情報の測位技術に応じて柔軟に精度の判定基準を変更してもよい。また、実施形態に係る精度は、測位手段と読み替えてもよい。
【００８０】
「各種センサ情報」は、位置が検知された際に、各種センサによって検知された情報を示す。図７では、各種センサ情報を「Ｘ０１」といった概念で表記しているが、実際には、各種センサ情報の項目には、ユーザ端末１０の加速度や高度、気温や湿度、周辺の音声情報等の各種センサによって取得された具体的な情報が記憶される。
【００８１】
すなわち、図７では、位置情報記憶部１２３に記憶されるデータの一例として、端末ＩＤ「Ｃ０１」で識別されるユーザＵ０１から取得した位置情報が記憶されていることを示している。また、ユーザＵ０１の位置情報の一例は、取得日時「Ｔ０１」において位置「Ｇ０１」にユーザＵ０１が所在し、その位置の精度は「低」であり、各種センサ情報が「Ｘ０１」であることを示している。また、当該位置情報の次に位置情報記憶部１２３に保持されたユーザＵ０１の位置情報は、取得日時「Ｔ０６」において位置「Ｇ０６」にユーザＵ０１が所在し、その位置の精度は「低」であり、各種センサ情報が「Ｘ０６」であることを示している。このことは、判定装置１００が、取得日時「Ｔ０２」から取得日時「Ｔ０５」において取得された位置情報については位置情報記憶部１２３に保持せず、破棄していることを示している。
【００８２】
なお、実施形態に係るユーザＩＤは、例えば、判定装置１００が提供する各サービスにおいてユーザに共通して付与されるサービス用ＩＤ（ユーザアカウント）等である。判定装置１００は、ユーザを一意に識別する識別情報を利用することで、ユーザ端末１０から取得した位置情報とユーザとを対応付ける。かかるＩＤは、判定装置１００のみならず、判定装置１００と提携した事業者（所定のサービス提供者）によって発行されてもよい。これにより、判定装置１００は、一人のユーザが複数のユーザ端末１０を利用していたり、異なる環境でサービスにログインしていたりする場合でも、当該ユーザを一意に特定して位置情報を取得することができる。なお、判定装置１００は、ユーザの識別情報として、サービスを利用した際のクッキー（Cookie）情報や、端末固有の端末ＩＤ等を利用してもよい。
【００８３】
（制御部１３０について）
制御部１３０は、例えば、コントローラであり、ＣＰＵやＭＰＵ等によって、判定装置１００内部の記憶装置に記憶されている各種プログラム（判定プログラムの一例に相当）がＲＡＭを作業領域として実行されることにより実現される。また、制御部１３０は、コントローラであり、例えば、ＡＳＩＣやＦＰＧＡ等の集積回路により実現される。
【００８４】
図４に示すように、制御部１３０は、取得部１３１と、判定部１３２と、格納部１３３とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００８５】
上述のように、制御部１３０に係る各処理部は、制御情報（例えば、実施形態に係る判定プログラム）がＲＡＭを作業領域として実行されることにより実現される。すなわち、取得部１３１が実行する処理は、制御情報が実行させる取得手順により実現され、判定部１３２が実行する処理は、制御情報が実行させる判定手順により実現され、格納部１３３が実行する処理は、制御情報が実行させる格納手順により実現される。
【００８６】
（取得部１３１について）
取得部１３１は、ユーザ端末１０から位置情報を取得する。例えば、取得部１３１は、ユーザ端末１０にインストールされたアプリの制御に従ってユーザ端末１０によって取得された位置情報であって、ユーザ端末１０から送信される位置情報を取得する。
【００８７】
なお、取得部１３１は、位置情報とともに、当該位置情報に対応する位置の測位に関する情報を取得する。位置の測位に関する情報とは、例えば、ユーザの位置を示す情報が、どのくらいの誤差の範囲でユーザの所在を特定することができるかといった精度を特定するために用いられる情報である。上述のように、ユーザ端末１０は、種々の機能や測位手段を用いて位置を検知する。そして、一般に、ユーザの位置を示す情報は、検知に用いられる手段によって精度が異なる。例えば、ＧＰＳでユーザの位置を検知する場合と、Ｗｉ−Ｆｉによる通信機能を用いてユーザの位置を検知する場合と、ビーコンによる通信機能を用いてユーザの位置を検知する場合とでは、ユーザの位置を特定する精度が異なる。例えば、ビーコンによる通信機能を用いてユーザの位置を検知する場合、建物内のどこにユーザが所在しているかといった、数メートル範囲の精度でユーザの位置を特定可能である。一方で、ＧＰＳでユーザの位置を検知する場合、建物内のどこにユーザが所在しているかといった数メートル範囲の精度でユーザの位置を特定することは難しい。一般に、精度の高い位置情報を利用した方が、よりユーザが移動した地形や経路等を正確に特定できるため、ユーザビリティの高いサービスの提供を行うことができる。このため、判定装置１００は、例えば精度の高い位置情報を価値が高いと想定し、精度の低い位置情報とは異なる判定基準で記憶部１２０内に記憶するか否かを判定する。
【００８８】
上記のように、取得部１３１は、位置の精度に関する情報として、位置が検知された際の測位手段に関する情報を取得してもよい。そして、取得部１３１は、位置情報として、位置と測位手段（言い換えれば、精度）とを対応付けた情報を取得する。この場合、取得部１３１は、測位手段と精度との関係性を定義した定義情報等を予め取得していてもよい。具体的には、取得部１３１は、判定装置１００の管理者等から、ビーコン機能を利用して検知された位置情報の精度が「高」である、といった定義情報を取得しておく。そして、取得部１３１は、位置に関する情報と測位手段とをユーザ端末１０から取得した場合に、当該測位手段に応じた精度の情報を位置と対応付け、対応付けた情報を位置情報として取得してもよい。
【００８９】
また、上記のように、位置情報は、複数の測位手段が併用されて取得される場合もある。そして、ユーザ端末１０の仕様によっては、一つの位置情報を判定装置１００に送信するのではなく、測位手段ごとに異なる位置情報として判定装置１００に送信する場合がある。この場合、取得部１３１は、第１の測位手段、及び、当該第１の測位手段に対して精度の高い第２の測位手段によってユーザの位置が測位された場合の位置情報を所定時間にわたって取得するようにしてもよい。
【００９０】
図１等で示した例では、第１の測位手段がＧＰＳに相当し、第２の測位手段がＷｉ−Ｆｉに相当する。そして、後述する判定部１３２は、第１の測位手段ではユーザが移動したことを測位できず、かつ、第２の測位手段ではユーザが移動したことを測位できた場合には、第２の測位手段によって測位された位置を示す位置情報を記憶部１２０に記憶すると判定するようにしてもよい。例えば、第１の測位手段では、ユーザの位置を特定する精度が劣るため、ユーザが数メートル移動しただけではその移動したことを測位できないとする。そして、第２の測位手段は、同様のユーザの移動を測位できたものとする。具体的には、第２の測位手段によれば、ある連続した位置を示す情報が各々異なる（ユーザが異なる位置に所在していることを示す）のに対して、第１の測位手段によれば、ある連続した位置を示す情報が略同一である（ユーザがほぼ同じ位置に所在していることを示す）ものとする。このような場合、判定部１３２は、第１の測位手段によって取得された位置情報は破棄し、第２の測位手段によって取得された位置情報を保持する。これにより、判定部１３２は、より有用な位置情報を優先的に保持することができる。
【００９１】
なお、取得部１３１は、位置情報とともに、位置情報に対応するセンサ情報を取得してもよい。センサ情報とは、ユーザ端末１０の検知部１４によって検知される各種情報である。例えば、ユーザ端末１０は、ユーザの位置を検知するとともに、周囲の音声情報や加速度、温度や湿度等を検知する。取得部１３１は、このように位置とともに検知されたセンサ情報をユーザ端末１０から取得する。
【００９２】
また、取得部１３１は、位置情報とともに、ユーザに関する各種情報を取得してもよい。例えば、取得部１３１は、利用するアプリを介してユーザが各サービスに登録した情報に基づいて、ユーザの属性情報を取得する。また、取得部１３１は、アプリにおけるユーザの興味関心情報や、ユーザの行動履歴情報を取得してもよい。取得部１３１は、種々の既存の技術（例えば、ユーザの興味関心や行動に基づいて広告を配信するための広告配信技術等）を利用して、種々の情報を取得してもよい。また、取得部１３１は、曜日情報を含めた日時情報とともに位置情報を取得するようにしてもよい。
【００９３】
また、取得部１３１は、位置情報として、ユーザ端末１０と他の装置における通信の状況を取得してもよい。具体的には、取得部１３１は、ユーザ端末１０がアクセスポイントを介してインターネットなどにアクセスしている通信状況を取得する。この場合、取得部１３１は、アクセスポイントとの通信状況から検出される情報を位置情報として取得する。具体的には、取得部１３１は、ユーザ端末１０と通信中のアクセスポイントの設置位置を割り出し、割り出したアクセスポイントの設置位置に基づいて、当該ユーザ端末１０の位置情報として取得するようにしてもよい。また、取得部１３１は、駅改札の装置とユーザ端末１０との通信を検出することでユーザ端末１０の位置を取得したり、ユーザ端末１０のＩＰアドレスに基づいて位置を取得したりしてもよい。
【００９４】
（判定部１３２について）
判定部１３２は、取得部１３１によって取得された測位に関する情報に対応した判定基準に基づいて、当該位置情報を抽象化するか否かを判定する。位置情報の抽象化とは、例えば、取得された位置情報の一部を間引いたり、取得された位置情報の一部を抽出して残したりする処理をいう。すなわち、判定部１３２は、位置情報の抽象化として、測位に関する情報に対応した複数の判定基準であって、取得部１３１によって取得された位置情報を記憶部１２０に記憶するか否かを判定するための判定基準に基づいて、当該位置情報を記憶部１２０に記憶するか否かを判定する。
【００９５】
例えば、判定部１３２は、測位に関する情報に応じて異なる条件を有する複数の判定基準を用いて、位置情報を記憶部１２０に記憶するか否かを段階的に判定する。具体的には、判定部１３２は、位置情報を記憶するか否かの判定において、位置情報が取得された際の測位手段に対応した複数の判定基準に基づいて、位置情報を記憶部１２０に記憶するか否かを判定する。例えば、図１に示したように、判定部１３２は、取得された位置情報ごとに異なる判定基準Ａ０１〜Ａ０３を用いることによって、一律に位置情報を保持したり破棄したりするのではなく、測位手段やユーザの所在場所に応じた、段階的な判定処理を行う。
【００９６】
また、判定部１３２は、取得部１３１によって、第１の測位手段、及び、当該第１の測位手段に対して精度の高い第２の測位手段を併用して測位された位置に対応するユーザの位置情報が取得された場合には、第２の測位手段に対応した判定基準に基づいて、位置情報を記憶部１２０に記憶するか否かを判定してもよい。すなわち、判定部１３２は、より精度の高い測位手段として定義されている測位手段に対応する判定基準を優先的に用いて、位置情報を記憶するか否かを判定する。
【００９７】
また、判定部１３２は、上述したように、所定時間にわたって測位された複数の位置情報において、第１の測位手段ではユーザが移動したことを測位できず、かつ、第２の測位手段ではユーザが移動したことを測位できた場合には、第２の測位手段によって測位された位置を示す位置情報を記憶部１２０に記憶すると判定してもよい。このように、判定部１３２は、記憶部１２０に記憶する情報を複数の判定基準で判定することで、有用な位置情報を優先的に保持し、また、必要のない位置情報を的確に破棄することができる。
【００９８】
また、判定部１３２は、測位手段に応じた基準距離を設定し、所定時間内にユーザが当該基準距離を超えて移動した場合に、当該所定時間内における当該ユーザの位置情報を記憶部１２０に記憶すると判定してもよい。図１や図６に示したように、判定部１３２は、測位手段ごとに異なる基準距離（５００メートルや１００メートルや１メートル等）を設けることによって、測位手段ごとの適切な間隔で、保持すべき位置情報を判定することができる。具体的には、精度の低い測位手段で取得された位置情報は、数メートル範囲でユーザが移動した際に位置を測位したとしても、その移動距離は誤差の範囲内と想定されるため、記憶部１２０内に保持する必要性が低いといえる。一方、精度の高い測位手段で取得された位置情報は、数メートル範囲でユーザが移動したことを正確に把握することができる。精度の高い測位手段で取得された位置情報によれば、例えば、店舗内でユーザが足を止める要因となった商品を特定するなどの行動解析を行うことができる。このため、判定部１３２は、精度の高い測位手段で取得された位置情報について、記憶部１２０内に保持する必要性が高いと判定する。
【００９９】
（格納部１３３について）
格納部１３３は、判定部１３２によって記憶部１２０に記憶すると判定された位置情報を記憶部１２０に格納する。例えば、格納部１３３は、判定基準を満たすと判定された位置情報を位置情報記憶部１２３に格納する。一方、格納部１３３は、判定基準を満たさないと判定された位置情報を破棄する。
【０１００】
〔５．処理手順〕
次に、図８を用いて、実施形態に係る判定装置１００による処理の手順について説明する。図８は、実施形態に係る処理手順を示すフローチャートである。
【０１０１】
図８に示すように、判定装置１００は、ユーザ端末１０から位置情報を取得したか否かを判定する（ステップＳ１０１）。位置情報を取得していない場合（ステップＳ１０１；Ｎｏ）、判定装置１００は、取得するまで待機する。
【０１０２】
一方、位置情報を取得した場合（ステップＳ１０１；Ｙｅｓ）、判定装置１００は、位置情報が検知された際の測位手段を特定する（ステップＳ１０２）。そして、判定装置１００は、取得した位置情報が測位手段に応じた判定基準を満たすか否かを判定する（ステップＳ１０３）。
【０１０３】
取得した位置情報が判定基準を満たすと判定した場合（ステップＳ１０３；Ｙｅｓ）、判定装置１００は、取得した位置情報を記憶部１２０に格納する（ステップＳ１０４）。一方、取得した位置情報が判定基準を満たさないと判定した場合（ステップＳ１０３；Ｎｏ）、判定装置１００は、取得した位置情報を記憶部１２０に格納せず、破棄する（ステップＳ１０５）。
【０１０４】
〔６．変形例〕
上述した実施形態に係る処理は、上記実施形態以外にも種々の異なる形態にて実施されてよい。以下では、判定システム１の他の実施形態について説明する。
【０１０５】
〔６−１．ユーザ端末による判定プログラムの実行〕
上記実施形態では、判定装置１００が、実施形態に係る判定プログラムによる制御に従い、実施形態に係る判定処理を行う例を示した。ここで、実施形態に係る判定プログラムは、ユーザ端末１０で実行されてもよい。すなわち、実施形態に係る判定処理は、ユーザ端末１０によって行われてもよい。
【０１０６】
この点について、図９を用いて説明する。図９は、変形例に係るユーザ端末１０Ａの構成例を示す図である。図９に示すように、ユーザ端末１０Ａは、判定部１６４を有する。また、図９での図示は省略するが、記憶部１５は、実施形態に係る判定基準記憶部１２２に記憶される情報を記憶するものとする。
【０１０７】
また、変形例では、制御部１６に係る各処理部は、制御情報（例えば、実施形態に係る判定プログラム）がＲＡＭを作業領域として実行されることにより実現される。すなわち、取得部１６１が実行する処理は、制御情報が実行させる取得手順により実現され、受信部１６２が実行する処理は、制御情報が実行させる受信手順により実現され、送信部１６３が実行する処理は、制御情報が実行させる送信手順により実現され、判定部１６４が実行する処理は、制御情報が実行させる判定手順により実現される。
【０１０８】
変形例に係る判定部１６４は、実施形態に係る判定部１３２と同様の処理を行う。具体的には、判定部１６４は、取得部１６１によって取得された測位に関する情報に対応した判定基準であって、取得部１６１によって取得された位置情報を記憶部に記憶するか否かを判定するための判定基準に基づいて、当該位置情報を記憶部に記憶するか否かを判定する。なお、変形例に係る記憶部は、判定装置１００に係る記憶部１２０であってもよいし、ユーザ端末１０Ａに係る記憶部１５であってもよい。すなわち、ユーザ端末１０Ａは、位置情報を取得するとともに、取得した位置情報を保持するか否かを自装置で判定する。
【０１０９】
また、送信部１６３は、判定部１６４によって記憶部に記憶すると判定された位置情報を抽出し、抽出された位置情報を、当該記憶部に位置情報を格納する機能を有する外部装置に送信してもよい。記憶部に位置情報を格納する機能を有する外部装置とは、例えば、判定装置１００である。すなわち、ユーザ端末１０Ａは、判定処理を行うとともに、記憶部に記憶すると判定した位置情報のみを判定装置１００に送信するようにしてもよい。これにより、ユーザ端末１０Ａは、破棄される位置情報を送信するような、無駄な送信処理を実行せずに済むため、情報処理の負荷を軽減することができる。
【０１１０】
次に、図１０を用いて、変形例に係るユーザ端末１０Ａによる処理の手順について説明する。図１０は、変形例に係る処理手順を示すフローチャートである。
【０１１１】
図１０に示すように、ユーザ端末１０Ａは、自装置の位置を検知したか否かを判定する（ステップＳ２０１）。位置を検知していない場合（ステップＳ２０１；Ｎｏ）、ユーザ端末１０Ａは、位置を検知するまで待機する。
【０１１２】
一方、位置を検知した場合（ステップＳ２０１；Ｙｅｓ）、ユーザ端末１０Ａは、位置を検知した際の測位手段を特定する（ステップＳ２０２）。そして、ユーザ端末１０Ａは、取得した位置情報が測位手段に応じた判定基準を満たすか否かを判定する（ステップＳ２０３）。
【０１１３】
取得した位置情報が判定基準を満たすと判定した場合（ステップＳ２０３；Ｙｅｓ）、ユーザ端末１０Ａは、取得した位置情報を記憶部に記憶させることを判定する（ステップＳ２０４）。そして、ユーザ端末１０Ａは、当該位置情報をサーバ（例えば判定装置１００）に送信する（ステップＳ２０５）。
【０１１４】
一方、取得した位置情報が判定基準を満たさないと判定した場合（ステップＳ２０３；Ｎｏ）、ユーザ端末１０Ａは、取得した位置情報を記憶部に記憶させないと判定する（ステップＳ２０６）。この場合、ユーザ端末１０Ａは、当該位置情報をサーバに送信せず、破棄する（ステップＳ２０７）。
【０１１５】
なお、ユーザ端末１０Ａは、上述した処理を任意の手法で実現することができる。例えば、ユーザ端末１０Ａは、予め上記のような判定処理等を実行するための制御情報（スクリプト）が含まれたアプリ（ユーザ端末１０Ａにインストールされた複数のアプリの挙動を一括で制御する制御アプリ）を実行することにより、上記の判定処理を実現してもよい。あるいは、ユーザ端末１０Ａは、ＳＤＫ（Software  Development  Kit）やＯＳ（Operating  System）に組み込まれる制御情報（スクリプト）の一つとして、上記のような判定処理を実行してもよい。なお、このような制御情報は、実施形態に係る判定プログラムに対応するものであり、例えば、ＣＳＳ（Cascading  Style  Sheets）、ＪａｖａＳｃｒｉｐｔ（登録商標）、ＨＴＭＬ、あるいは、上述した判定処理を記述可能な任意の言語あるいは任意のプログラムによって実現される。
【０１１６】
〔６−２．ユーザ端末の構成〕
上記実施形態では、ユーザ端末１０（又はユーザ端末１０Ａ）の構成例について図３を用いて説明した。しかし、ユーザ端末１０は、図３で例示した全ての処理部を備えることを必ずしも要しない。例えば、ユーザ端末１０は、入力部１２や表示部１３を必ずしも備えていなくてもよい。また、ユーザ端末１０は、２以上の機器に分離されて図３を示す構成が実現されてもよい。例えば、ユーザ端末１０は、少なくとも検知部１４と取得部１６１とを有する検知装置と、少なくとも通信部１１を有する通信装置とが分離された構成を有する、２台以上の機器により実現されてもよい。
【０１１７】
〔６−３．制御情報〕
上記変形例では、ユーザ端末１０Ａが、実施形態に係る判定プログラムが記載された制御情報に従って判定処理を実行する例を示した。ここで、制御情報は、ユーザ端末１０Ａが実行するアプリに含まれてもよいし、ウェブブラウザソフトウェアの一機能として含まれていてもよいし、ユーザ端末１０Ａで表示しようとするアプリに含まれていてもよい。すなわち、制御情報の取得元や配信元は、ユーザ端末１０Ａの行う判定処理の結果には影響しない。
【０１１８】
〔６−４．測位に関する情報〕
上記実施形態では、位置の測位に関する情報として、位置の測位手段を例に挙げた。また、各々の測位手段は、位置を示す情報の精度（抽象度）が異なることを説明した。ここで、測位手段の精度は、上記実施形態で示した例に限らない。例えば、ユーザ端末１０が利用する測位手段によっては、Ｗｉ−Ｆｉやｂｅａｃｏｎを利用した測位よりも、ＧＰＳを利用した測位の方が、位置の精度が高い場合もありうる。すなわち、上記で示した測位手段や、測位手段同士の精度の高低は一例であり、実施形態に係る判定プログラムは、判定対象となるユーザ端末１０や測位手段に応じて、様々に異なる判定基準の条件を設けるようにしてもよい。
【０１１９】
〔６−５．判定基準〕
上記実施形態では、判定基準には、ユーザが移動した距離や角度等が条件として設定される例を示した。ここで、判定基準は、上記のような具体的な数値等ではなく、ユーザにおける移動判定モデルのようなものであってもよい。例えば、判定プログラムは、ユーザのコンテキストに基づき、ユーザが現在自宅に所在しているか、あるいは勤務先に所在しているか等を判定するためのモデルを学習する。そして、判定プログラムは、学習の結果として生成されたモデルを判定基準として利用してもよい。
【０１２０】
例えば、判定プログラムは、位置がＧＰＳによって測位される場合、コンテキストの切り替わるタイミングを位置情報の取得タイミングと判定する。具体的には、判定プログラムは、取得したコンテキストに基づいてユーザが自宅に所在すると判定された場合に位置情報を取得する。その後、判定プログラムは、ユーザが自宅に所在すると判定され続ける間は、位置情報を取得しない。そして、判定プログラムは、取得したコンテキストに基づいてユーザが自宅とは異なる位置に移動を開始したと判定された場合に、新たに位置情報を取得する。すなわち、判定プログラムは、このようなコンテキストの変遷を、ユーザが移動した距離や留まっている時間ではなく、学習したモデルに基づいて判定してもよい。これにより、判定プログラムは、時間や距離等の具体的な数値を予め設定しなくても、ユーザの日常的な位置情報を取得して学習を行うことにより、実施形態に係る判定処理を実現することができる。
【０１２１】
また、上記実施形態では、測位に関する情報に応じた判定基準が設けられる例を示したが、判定基準は、必ずしも測位に関する情報に応じたものでなくてもよい。例えば、判定プログラムは、上記のようなユーザのコンテキストに応じた判定基準を用いて、位置情報の抽象化の判定を行ってもよい。すなわち、判定プログラムに係る取得手順は、ユーザの位置を示す位置情報を取得する。そして、判定プログラムに係る判定手順は、位置情報から特定されるユーザのコンテキストに基づいて、当該ユーザの位置情報を抽象化するか否かを判定してもよい。
【０１２２】
具体的には、判定プログラムは、上記のような学習モデルを利用して、ユーザのコンテキストを特定する。具体的には、判定プログラムは、ユーザの所在する場所がユーザの自宅であるとか、駅であるとか、勤務先であるといったコンテキストを特定する。なお、判定プログラムは、緯度経度情報と建物を対応付けるデータテーブルや、緯度経度情報と対応付いた地図情報を利用して、ユーザのコンテキスト（この例では、所在地）を特定してもよい。そして、判定プログラムは、コンテキストに応じた判定基準（例えば、ユーザの自宅であれば判定基準Ａ０１、駅であれば判定基準Ａ０２など）を用いて、位置情報を抽象化するか否かの判定を行う。これにより、判定プログラムは、測位に関する情報（例えば、測位手段）によらずとも、適切な判定処理を行うことができる。
【０１２３】
〔６−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した判定部１３２と格納部１３３とは統合されてもよい。
【０１２５】
また、上述してきた実施形態及び変形例は、処理内容を矛盾させない範囲で適宜組み合わせることが可能である。
【０１２６】
〔７．ハードウェア構成〕
また、上述してきた実施形態に係るユーザ端末１０や判定装置１００は、例えば図１１に示すような構成のコンピュータ１０００によって実現される。以下、判定装置１００を例に挙げて説明する。図１１は、判定装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２７】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１２８】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを、通信網５００を介して他の機器へ送信する。
【０１２９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１３０】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３１】
例えば、コンピュータ１０００が実施形態に係る判定装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１３２】
〔８．効果〕
上述したように、実施形態に係る判定プログラムは、コンピュータ（実施形態では、判定装置１００もしくはユーザ端末１０）に、取得手順と、判定手順とを実行させる。取得手順は、ユーザの位置を示す位置情報、及び、当該位置の測位に関する情報を取得する。判定手順は、測位に関する情報に対応した判定基準に基づいて、当該位置情報を抽象化するか否かを判定する。
【０１３３】
このように、実施形態に係る判定プログラムは、ユーザから収集される膨大な位置情報について、位置情報の抽象度（実施形態では、位置を示す情報の精度等を示す情報となりうる、測位に関する情報）に応じた判定基準を設けることにより、有用な位置情報のみを残す、あるいは抽出するといった抽象化を適切に行うことができる。結果として、判定プログラムによれば、位置情報の取得を効率よく行うことができる。
【０１３４】
また、判定手順は、位置情報の抽象化として、複数の判定基準であって、取得手順によって取得された位置情報を記憶部に記憶するか否かを判定するための判定基準に基づいて、当該位置情報を記憶部に記憶するか否かを判定する。
【０１３５】
このように、実施形態に係る判定プログラムは、測位に関する情報に応じた複数の判定基準を設けることにより、有用な位置情報のみを記憶するといった取捨選択を行う。これにより、判定プログラムは、位置情報の取得を効率よく行うことができる。
【０１３６】
また、判定手順は、測位に関する情報に応じて異なる条件を有する複数の判定基準を用いて、位置情報を記憶部に記憶するか否かを段階的に判定する。
【０１３７】
このように、実施形態に係る判定プログラムは、測位に関する情報（抽象度）に応じた異なる条件を有することによって、有用な位置情報か否かを適切に判定することができる。
【０１３８】
また、取得手順は、測位に関する情報として、当該位置が測位された際の測位手段に関する情報を取得する。判定手順は、測位手段に対応した複数の判定基準に基づいて、位置情報を記憶部に記憶するか否かを判定する。
【０１３９】
このように、実施形態に係る判定プログラムは、ユーザの位置が測位される際の測位手段ごとに異なる判定基準を設けることによって、有用な位置情報か否かを適切に判定することができる。
【０１４０】
また、判定手順は、取得手順によって、第１の測位手段、及び、当該第１の測位手段に対して精度の高い第２の測位手段を併用して測位された位置に対応するユーザの位置情報が取得された場合には、当該第２の測位手段に対応した判定基準に基づいて、当該位置情報を記憶部に記憶するか否かを判定する。
【０１４１】
このように、実施形態に係る判定プログラムは、複数の測位手段によって取得された位置情報については、より精度の高い測位手段に対応した判定基準を用いて判定を行う。これにより、判定プログラムは、優先的に保持する位置情報を適切に判定することができる。
【０１４２】
また、取得手順は、第１の測位手段、及び、当該第１の測位手段に対して精度の高い第２の測位手段によってユーザの位置が測位された場合の位置情報を所定時間にわたって取得する。判定手順は、所定時間にわたって測位された複数の位置情報において、第１の測位手段ではユーザが移動したことを測位できず、かつ、第２の測位手段ではユーザが移動したことを測位できた場合には、第２の測位手段によって測位された位置を示す位置情報を記憶部に記憶すると判定する。
【０１４３】
このように、実施形態に係る判定プログラムは、ユーザが移動したことを測位できないような、誤差の範囲におさまる第１の測位手段に基づく位置情報については保持せず、ユーザが移動したことを測位できた第２の測位手段に基づく位置情報を優先的に保持すると判定する。これにより、判定プログラムは、優先的に保持する位置情報を適切に判定することができる。
【０１４４】
また、判定手順は、測位手段に応じた基準距離を設定し、所定時間内にユーザが当該基準距離を超えて移動したか否かに基づいて、当該所定時間内における当該ユーザの位置情報を記憶部に記憶するか否かを判定する。
【０１４５】
このように、実施形態に係る判定プログラムは、測位手段ごとに基準距離を設けることにより、所定の測位手段において誤差の範囲におさまる位置情報については保持せず、的確にユーザの移動を把握することができると想定される位置情報について保持することができる。これにより、判定プログラムは、優先的に保持する位置情報を適切に判定することができる。
【０１４６】
また、実施形態に係る判定プログラムは、判定手順によって記憶部に記憶すると判定された位置情報を抽出し、抽出された位置情報を、当該記憶部に位置情報を格納する機能を有する外部装置（例えば判定装置１００）に送信する送信手順をさらにコンピュータに実行させてもよい。
【０１４７】
このように、実施形態に係る判定プログラムは、保持すると判定した位置情報のみを送信する処理を実行してもよい。これにより、判定プログラムを実行するコンピュータ（ユーザ端末１０等）は、位置情報の送信処理を行う回数を低減することができるため、リソースの消費を抑えることができる。
【０１４８】
また、実施形態に係る判定プログラムは、ユーザの位置を示す位置情報を取得する取得手順と、取得手順によって取得された位置情報から特定されるユーザのコンテキストに基づいて、ユーザの位置情報を抽象化するか否かを判定する判定手順と、をコンピュータに実行させてもよい。
【０１４９】
このように、実施形態に係る判定プログラムは、位置の測位に関する情報によらずとも、ユーザのコンテキストを特定し、特定したコンテキストに応じた判定処理を行ってもよい。これにより、判定プログラムは、ユーザ端末１０が位置を測位した際の測位手段等の情報が取得できない場合であっても、位置情報の抽象化に関する判定処理を行うことができる。
【０１５０】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５１】
また、上述してきた「部（section、module、unit）」は、「手段」や「回路」などに読み替えることができる。例えば、取得部は、取得手段や取得回路に読み替えることができる。
【符号の説明】
【０１５２】
１  判定システム
１０  ユーザ端末
１５  記憶部
１６  制御部
１６１  取得部
１６２  受信部
１６３  送信部
１６４  判定部
１００  判定装置
１１０  通信部
１２０  記憶部
１２１  ユーザ情報記憶部
１２２  判定基準記憶部
１２３  位置情報記憶部
１３０  制御部
１３１  取得部
１３２  判定部
１３３  格納部
【図１】
2019128921.tif 000003
【図２】
2019128921.tif 000004
【図３】
2019128921.tif 000005
【図４】
2019128921.tif 000006
【図５】
2019128921.tif 000007
【図６】
2019128921.tif 000008
【図７】
2019128921.tif 000009
【図８】
2019128921.tif 000010
【図９】
2019128921.tif 000011
【図１０】
2019128921.tif 000012
【図１１】
2019128921.tif 000013
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
それぞれ精度が異なる複数の測位手段を用いて、ユーザの位置を示す位置情報、及び、当該位置の測位手段を示す情報を取得する取得手順と、
前記測位手段に対応した判定基準に基づいて、前記取得手順によって取得された位置情報を抽象化するか否かを判定する判定手順と、
をコンピュータに実行させることを特徴とする判定プログラム。
【請求項２】
前記判定手順は、
前記位置情報の抽象化として、複数の前記判定基準であって、前記取得手順によって取得された位置情報を記憶部に記憶するか否かを判定するための判定基準に基づいて、当該位置情報を記憶部に記憶するか否かを判定する、
ことを特徴とする請求項１に記載の判定プログラム。
【請求項３】
ユーザの位置を示す位置情報、及び、当該位置の測位に関する情報として当該位置が測位された際の測位手段に関する情報を取得する取得手順と、
前記取得手順によって、第１の測位手段、及び、当該第１の測位手段に対して精度の高い第２の測位手段を併用して測位された位置に対応する前記ユーザの位置情報が取得された場合には、当該第２の測位手段に対応した判定基準に基づいて、当該位置情報を記憶部に記憶するか否かを判定する判定手順と、
をコンピュータに実行させることを特徴とする判定プログラム。
【請求項４】
ユーザの位置の測位に関する情報として、当該位置が測位された際の測位手段に関する情報である、第１の測位手段、及び、当該第１の測位手段に対して精度の高い第２の測位手段によって当該ユーザの位置が測位された場合の位置情報を所定時間にわたって取得する取得手順と、
前記所定時間にわたって測位された複数の位置情報において、前記第１の測位手段では前記ユーザが移動したことを測位できず、かつ、前記第２の測位手段では前記ユーザが移動したことを測位できた場合には、前記第２の測位手段によって測位された位置を示す位置情報を記憶部に記憶すると判定する判定手順と、
をコンピュータに実行させることを特徴とする判定プログラム。
【請求項５】
前記判定手順は、
前記測位に関する情報に応じて異なる条件を有する複数の判定基準を用いて、前記位置情報を記憶部に記憶するか否かを段階的に判定する、
ことを特徴とする請求項２〜４のいずれか一つに記載の判定プログラム。
【請求項６】
前記判定手順は、
前記測位手段に応じた基準距離を設定し、所定時間内に前記ユーザが当該基準距離を超えて移動したか否かに基づいて、当該所定時間内における当該ユーザの位置情報を記憶部に記憶するか否かを判定する、
ことを特徴とする請求項２〜５のいずれか一つに記載の判定プログラム。
【請求項７】
前記判定手順によって記憶部に記憶すると判定された位置情報を抽出し、抽出された位置情報を、当該記憶部に位置情報を格納する機能を有する外部装置に送信する送信手順、
をさらに前記コンピュータに実行させることを特徴とする請求項２〜６のいずれか一つに記載の判定プログラム。
【請求項８】
ユーザの位置を示す位置情報を取得する取得手順と、
前記取得手順によって取得された位置情報から特定される前記ユーザのコンテキストごとに異なる判定基準に基づいて、当該ユーザの位置情報を抽象化するか否かを判定する判定手順と、
をコンピュータに実行させることを特徴とする判定プログラム。
【請求項９】
それぞれ精度が異なる複数の測位手段を用いて、ユーザの位置を示す位置情報、及び、当該位置の測位手段を示す情報を取得する取得部と、
前記測位手段に対応した判定基準に基づいて、当該位置情報を抽象化するか否かを判定する判定部と、
を備えたことを特徴とする判定装置。
【請求項１０】
ユーザの位置を示す位置情報、及び、当該位置の測位に関する情報として当該位置が測位された際の測位手段に関する情報を取得する取得部と、
前記取得部によって、第１の測位手段、及び、当該第１の測位手段に対して精度の高い第２の測位手段を併用して測位された位置に対応する前記ユーザの位置情報が取得された場合には、当該第２の測位手段に対応した判定基準に基づいて、当該位置情報を記憶部に記憶するか否かを判定する判定部と、
を備えたことを特徴とする判定装置。
【請求項１１】
ユーザの位置の測位に関する情報として、当該位置が測位された際の測位手段に関する情報である、第１の測位手段、及び、当該第１の測位手段に対して精度の高い第２の測位手段によって当該ユーザの位置が測位された場合の位置情報を所定時間にわたって取得する取得部と、
前記所定時間にわたって測位された複数の位置情報において、前記第１の測位手段では前記ユーザが移動したことを測位できず、かつ、前記第２の測位手段では前記ユーザが移動したことを測位できた場合には、前記第２の測位手段によって測位された位置を示す位置情報を記憶部に記憶すると判定する判定部と、
を備えたことを特徴とする判定装置。
【請求項１２】
前記判定部によって、前記取得部によって取得された位置情報のうち記憶部に記憶すると判定された位置情報を、当該記憶部に格納する格納部、
をさらに備えたことを特徴とする請求項９〜１１のいずれか一つに記載の判定装置。
【請求項１３】
前記判定部によって、前記取得部によって取得された位置情報のうち記憶部に記憶すると判定された位置情報を抽出し、抽出された位置情報を、当該記憶部に位置情報を格納する機能を有する外部装置に送信する送信部、
をさらに備えたことを特徴とする請求項９〜１１のいずれか一つに記載の判定装置。
【請求項１４】
コンピュータが実行する判定方法であって、
それぞれ精度が異なる複数の測位手段を用いて、ユーザの位置を示す位置情報、及び、当該位置の測位手段を示す情報を取得する取得工程と、
前記測位手段に対応した判定基準に基づいて、当該位置情報を抽象化するか否かを判定する判定工程と、
を含んだことを特徴とする判定方法。
【請求項１５】
コンピュータが実行する判定方法であって、
ユーザの位置を示す位置情報、及び、当該位置の測位に関する情報として当該位置が測位された際の測位手段に関する情報を取得する取得工程と、
前記取得工程によって、第１の測位手段、及び、当該第１の測位手段に対して精度の高い第２の測位手段を併用して測位された位置に対応する前記ユーザの位置情報が取得された場合には、当該第２の測位手段に対応した判定基準に基づいて、当該位置情報を記憶部に記憶するか否かを判定する判定工程と、
を含んだことを特徴とする判定方法。
【請求項１６】
コンピュータが実行する判定方法であって、
ユーザの位置の測位に関する情報として、当該位置が測位された際の測位手段に関する情報である、第１の測位手段、及び、当該第１の測位手段に対して精度の高い第２の測位手段によって当該ユーザの位置が測位された場合の位置情報を所定時間にわたって取得する取得工程と、
前記所定時間にわたって測位された複数の位置情報において、前記第１の測位手段では前記ユーザが移動したことを測位できず、かつ、前記第２の測位手段では前記ユーザが移動したことを測位できた場合には、前記第２の測位手段によって測位された位置を示す位置情報を記憶部に記憶すると判定する判定工程と、
を含んだことを特徴とする判定方法。
【請求項１７】
ユーザの位置を示す位置情報を取得する取得部と、
前記取得部によって取得された位置情報から特定される前記ユーザのコンテキストごとに異なる判定基準に基づいて、当該ユーザの位置情報を抽象化するか否かを判定する判定部と、
を備えたことを特徴とする判定装置。
【請求項１８】
コンピュータが実行する判定方法であって、
ユーザの位置を示す位置情報を取得する取得工程と、
前記取得工程によって取得された位置情報から特定される前記ユーザのコンテキストごとに異なる判定基準に基づいて、当該ユーザの位置情報を抽象化するか否かを判定する判定工程と、
を含んだことを特徴とする判定方法。